(57)【要約】      （修正有）【課題】使用者に、優れた冷却効果を提供することによって熱中症対策及び快適な環境提供を実現することが可能なファン付きリュックサックを提供する。【解決手段】底面２と、底面から立ち上がり上向きに開口する周壁４と、開口に開閉自在に設けられた蓋部６と、周壁の外面のうちの背中部４ａに取り付けられた一対の肩紐８と、を具備するリュックサックであって、周壁に設けられたファン１０と、背中部の略中央に設けられた通気性部分１２と、背中部において肩紐の上方に開閉自在に設けられた通気口１４と、を有する。【選択図】図１
0003228654.tif 000002
【実用新案登録請求の範囲】
【請求項１】
底面と、前記底面から立ち上がり上向きに開口する周壁と、前記開口に開閉自在に設けられた蓋部と、前記周壁の外面のうちの背中部に取り付けられた一対の肩紐と、
を具備するリュックサックであって、
前記周壁に設けられたファンと、
前記背中部の略中央に設けられた通気性部分と、
前記背中部において前記肩紐の上方に開閉自在に設けられた通気口と、
を有すること
を特徴とするファン付きリュックサック。
【請求項２】
前記リュックサック内に、前記ファンを覆う仕切り板を具備すること、
を特徴とする請求項１に記載のファン付きリュックサック。
【請求項３】
前記ファンのスイッチが、前記肩紐に配置されていること、
を特徴とする請求項１又は２に記載のファン付きリュックサック。
【考案の詳細な説明】
【技術分野】
【０００１】
本考案は、利用者の身体を好適に冷却可能なファン付きリュックサックに関する。
【背景技術】
【０００２】
近年、高気温下での作業や運動から引き起こされる熱中症が問題視されている。熱中症とは、視床下部の体温を正常に保つ機能が低下することで全身の発汗作用が停止し、体温が過剰に上昇してしまう症状である。そのため、熱中症が引き起こされると適切な処置を早急に行うことが重要であり、処置が遅れると死に至るケースもある。
【０００３】
上記のような熱中症対策及び快適な作業環境を提供するために、身体を冷却しつつ作業や運動を可能とする空調衣服が知られている（例えば、特許文献１参照）。空調衣服とは、衣服用ファンが一体的に構成された衣服であり、衣服と、身体又は下着と、の間に外気を取り入れ、本来身体の体温で温められたまま移動しない衣服内の空気を強制的に入れ替えるものである。
【先行技術文献】
【特許文献】
【０００４】
【特許文献１】国際公開第０２／０６７７０８号パンフレット
【考案の概要】
【考案が解決しようとする課題】
【０００５】
他方、昨今、リュックサックの需要が増しており、ピクニックやハイキングを楽しむ者はもとより、学生やビジネスマンの間でも普及しているところ、リュックサックの使用者は熱中症対策及び快適な環境提供を実現するために従来の空調衣服を利用することができず、何らかの方法が望まれている。
【０００６】
そこで、本考案の目的は、上記問題に鑑みて創作されたものであり、リュックサックの使用者に、優れた冷却効果を提供することによって熱中症対策及び快適な環境提供を実現することが可能なリュックサックを提供することにある。
【課題を解決するための手段】
【０００７】
上記の課題を解決すべく、本考案は、
底面と、前記底面から立ち上がり上向きに開口する周壁と、前記開口に開閉自在に設けられた蓋部と、前記周壁の外面のうちの背中部に取り付けられた一対の肩紐と、
を具備するリュックサックであって、
前記周壁に設けられたファンと、
前記背中部の略中央に設けられた通気性部分と、
前記背中部において前記肩紐の上方に開閉自在に設けられた通気口と、
を有すること
を特徴とするファン付きリュックサック、を提供する。
【０００８】
このような構成を有する本考案のリュックサックによれば、ファンを取り付けて外部の空気をリュックサックの内部に引き込み、背中部の略中央に設けられた通気性部分から、使用者の背中まで、また、肩紐の上方に開閉自在に設けられた通気口から、使用者の首元まで、にそれぞれ空気の通り道を積極的につくることができる。そのため、空気を背中及び首元に確実に放出させることができ、本考案のリュックサックの使用者に、優れた冷却効果を提供することによって熱中症対策及び快適な環境提供を実現することができる。
【０００９】
上記の本考案のリュックサックにおいては、前記リュックサック内に、前記ファンを覆う仕切り板を具備すること、が好ましい。
【００１０】
このような構成を有する本考案のリュックサックによれば、仕切り板があることにより、リュックサック内に収納された荷物等がファンに巻き込まれることを効果的に防止することができる。
【００１１】
また、上記の本考案のリュックサックにおいては、前記ファンのスイッチが、前記肩紐に配置されていること、が好ましい。
【００１２】
このような構成を有する本考案のリュックサックにおいては、ファンのＯＮ及びＯＦＦ並びに風量調節等を、リュックサックを背負ったまま実施することができ、操作性に優れる。
【考案の効果】
【００１３】
本考案によれば、優れた冷却効果を提供することによって熱中症対策及び快適な環境提供を実現することが可能なリュックサックを提供することができる。
【図面の簡単な説明】
【００１４】
【図１】本考案の一実施形態に係るリュックサック１の概要を示す図であって、（ａ）はリュックサック１の正面図であり、（ｂ）はリュックサック１の左側面図であり、（ｃ）はリュックサック１の内部を概念的に示す図である。
【図２】本考案の一実施形態に係るリュックサック１の内部の一例を概念的に示す図である。
【考案を実施するための形態】
【００１５】
以下、本考案に係るリュックサックの代表的な実施形態について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１６】
図１は、本考案の一実施形態に係るリュックサック１の概要を示す図であって、（ａ）はリュックサック１の正面図であり、（ｂ）はリュックサック１の背面図であり、（ｃ）はリュックサック１の内部を概念的に示す図である。
【００１７】
図１に示すように、リュックサック１は、底面２と、底面２から立ち上がり上向きに開口する周壁４と、周壁４の上方に開閉自在に設けられた蓋部６と、周壁４の外面のうちの背中部４ｄに取り付けられた一対の肩紐８と、を具備する。蓋部６は、線ファスナー６ａによって開閉自在となっており、周壁４は、正面部４ａ、第一の側面部４ｂ、第二の側面部４ｃ、並びに背中部４ｄを有している。線ファスナー６ａは、正面部４ａ、第一の側面部４ｂ及び第二の側面部４ｃにわたって設ければよい。
【００１８】
そして、周壁４のうちの第一の側面部４ｂ及び第二の側面部４ｃにそれぞれファン１０が設けられているとともに、背中部４ｄの略中央に設けられたメッシュ材又は網状材等の通気性を有する布材料で構成された通気性部分１２と、背中部４ｄにおいて肩紐８の上方に開閉自在に設けられた通気口１４と、を有する。この通気口１４も、線ファスナー６ａによって開閉自在に構成されている。
【００１９】
本実施形態のリュックサック１は、このような構成を有することにより、ファン１０を取り付けて外部の空気をリュックサック１の内部に引き込み、背中部４ｄの略中央に設けられた通気性部分１２から、使用者の背中まで、また、肩紐８の上方に開閉自在に設けられた通気口１４から、使用者の首元まで、に、それぞれ空気の通り道を形成する。これにより、空気を背中及び首元に確実に送ることができ、使用者に、優れた冷却効果を提供することによって熱中症対策及び快適な環境提供ができる。
【００２０】
また、本実施形態のリュックサック１においては、ファン１０の外側に、メッシュ状のポケット１６が設けられており、ここからファン１０に空気が有効に導かれてリュックサック１の内部に導入される構成を有している。
【００２１】
そして、第一の側面部４ｂの上方には、例えばプラスチック製のポート１８が設けられており、リュックサック１の内部に通じている。このポート１８には、図示しないが、外部にＵＳＢポート及び／又はイヤホンジャックが設けられており、スマートフォン等の携帯端末を接続して充電したり、イヤホンやヘッドホン等を接続したりすることができる。
【００２２】
他方、ポート１８の内側には、ＵＳＢやイヤホンプラグが接続されており、リュックサック１の内部に、ＵＳＢ接続式モバイルバッテリーや音楽プレイヤー等を格納して、これらを利用することができる。なお、図１の（ｃ）には、ファン１０用のバッテリー２０を図示している。
【００２３】
また、図１の（ｂ）に示すように、ファン１０用のスイッチ２２が、一対の肩紐８のうちの一方に配置されていること、が好ましい。このような構成によれば、ファン１０のＯＮ及びＯＦＦ並びに風量調節等の操作を、リュックサック１を背負ったまま実施することができ、操作性に優れる。
【００２４】
また、図２に示すように、本実施形態のリュックサック１においては、リュックサック１内に、ファン１０を覆うように仕切り板２４を具備すること、が好ましい。このような仕切り板２４があれば、リュックサック１内の荷物スペースに収納された荷物等がファン１０に巻き込まれることを効果的に防止することができる。
【００２５】
以上、本考案の一実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【符号の説明】
【００２６】
１          リュックサック
２          底面
４          周壁
４ａ        正面部
４ｂ        第一の側面部
４ｃ        第二の側面部
４ｄ        背中部
６          蓋部
６ａ        線ファスナ―
８          肩紐
１０        ファン
１２        通気性部分
１４        通気口
１６        ポケット
１８        ポート
２０        バッテリー
２２        スイッチ
２４        仕切り板
【図１】
0003228654.tif 000003
【図２】
0003228654.tif 000004